(57)【要約】【課題】内グリップ１の内面と軸筒８の表面との間に適宜の空間部を構成することにより、外グリップ２を把持した時に内グリップ１の突部１Ａ及び外グリップ２が弾性変形をして把持し易い筆記具のグリップを提供する。【解決手段】筆記具を把持する部分に取り付けられるグリップにおいて、そのグリップを軟質材からなる内グリップ１と軟質材からなる外グリップ２の二層構造で構成する。この内グリップ１の内面に突部１Ａを形成し、内グリップ１の内面と軸筒８の表面の間に適宜の空間部を構成する。【選択図】        図１
2008037023.tif 000002
【特許請求の範囲】
【請求項１】
筆記具を把持する部分に取り付けられるグリップにおいて、そのグリップを、軟質材からなる内グリップと軟質材からなる外グリップの二層構造で構成し、前記内グリップの内面に突部を形成し、内グリップの内面と軸筒の表面の間に適宜の空間部を構成したことを特徴とする筆記具のグリップ。
【請求項２】
内グリップの内面に多数の柱状の突部を形成し、内グリップの内面と軸筒の表面の間に適宜の空間部を構成したことを特徴とする請求項１記載の筆記具のグリップ。
【請求項３】
内グリップの内面に円周状に伸びた突部を複数形成し、内グリップの内面と軸筒の表面の間に適宜の空間部を構成したことを特徴とする請求項１記載の筆記具のグリップ。
【請求項４】
外グリップを透明性を有した軟質材で構成したことを特徴とする請求項１乃至３のいずれか１項に記載の筆記具のグリップ。
【発明の詳細な説明】
【技術分野】
【０００１】
本発明は、筆記具を把持する部分に取り付けられるグリップに関するものである。
【背景技術】
【０００２】
従来、筆記具を把持する部分に取り付けられたグリップとしては、内方層と表面層との上下に積層した軟質材で形成し、内方層のショアー硬度がＨｓ（ＪＩＳ  Ａ）５〜３０、表面層のショアー硬度がＨｓ（ＪＩＳ  Ａ）４０以上で構成した筆記具のグリップが知られている。（特許文献１参照）
【特許文献１】特開２０００−３５５１８５号公報
【発明の開示】
【発明が解決しようとする課題】
【０００３】
しかしながら、上記した筆記具のグリップは、内方層と表面層の間に空間部がなく、手で把持した時に十分な弾性変形が得られなかった。
本発明は、上記課題を解消する筆記具のグリップを提供することを目的とするものである。
【課題を解決するための手段】
【０００４】
本発明は、筆記具を把持する部分に取り付けられるグリップにおいて、そのグリップを、軟質材からなる内グリップと軟質材からなる外グリップの二層構造で構成し、前記内グリップの内面に突部を形成し、内グリップの内面と軸筒の表面の間に適宜の空間部を構成したことを第１の要旨とする。
【０００５】
また、内グリップの内面に多数の柱状の突部を形成し、内グリップの内面と軸筒の表面の間に適宜の空間部を構成したことを第２の要旨とする。
【０００６】
更に、内グリップの内面に円周状に伸びた突部を複数形成し、内グリップの内面と軸筒の表面の間に適宜の空間部を構成したことを第３の要旨とする。
【０００７】
更にまた、外グリップを透明性を有した軟質材で構成したことを第４の要旨とする。
【発明の効果】
【０００８】
本発明は、内グリップの内面に突部を形成して内グリップの内面と軸筒の表面の間に適宜の空間部を構成することにより、内グリップが十分に弾性変形することができる。しかも、内グリップの内面に突部が形成されているので、内グリップが押された時に突部が押されて傾斜されたとしても、内グリップの伸び縮み以上は突部の間隔が変化せず、内グリップが押される力は確実に複数の突部に分散され、全体的に柔らかい感触が得られる。更に、内グリップに外グリップが被さって二層構造となっているので、手によって押圧された力がまず外グリップによって分散されて内グリップに伝わるので、全体的に柔らかい感触が更に高められ、非常に把持し易い効果が奏せられるものである。
【発明を実施するための最良の形態】
【０００９】
内グリップの内面と軸筒の表面との間に適宜の空間部を構成するとともに、グリップを内グリップと外グリップのニ層構造に構成することにより、手で外グリップを把持した時に外グリップとともに内グリップが十分に弾性変形をするので非常に把持し易い筆記具のグリップを実現した。
【実施例１】
【００１０】
以下、図１及び図２に基づいて本発明における実施例１の筆記具のグリップを説明する。先ず、軟質材で作製された内グリップ１の内面に等間隔に多数の四角柱形の突部１Ａを形成する。また、内グリップ１の前端と後端に内鍔１Ｂを形成する。次に、軟質材で作製された外グリップ２の前端に内鍔２Ａを形成する。また、外グリップ２の外形は両端から中間部に向かって徐々に曲線状に細径に形成されている。この外グリップ２を前記内グリップ１に被せて筆記具のグリップを構成する。
【００１１】
次に、図３により本発明の筆記具のグリップをノック式シャープペンシルに設けた例で説明する。先ず、チャック３の頭部３Ａを複数に分割して拡開可能に形成し、この頭部３Ａにテーパー面を形成する。前記チャック３の頭部３Ａに締リング４を外嵌し、チャック３の後部にパイプ状の芯タンク５を圧入固着する。また、締リング４を受け止めるワッシャー６と芯タンク５の間にスプリング７を張架し、チャック３のテーパー面が締リング４に押圧され機構部が構成される。
【００１２】
軸筒８の前部８Ａは細径に形成され、この前部８Ａに前記内グリップ１を外嵌する。次に、内グリップ１に前記外グリップ２を外嵌する。すると、内グリップ１の内鍔１Ｂ及び突部１Ａが軸筒８の表面に接触し、内グリップ１の内面と軸筒８の表面の間に適宜の空間部が構成される。
【００１３】
この軸筒８の前方より前記機構部を挿入した後、軸筒８に口金９を螺合し、口金９の内段９Ａと軸筒８の前端でワッシャー６を挟持する。また、口金９が螺合されることによって口金９の後端と軸筒８の外段８Ｂによって外グリップ２が挟持され、外グリップ２の内鍔２Ａと軸筒８の前部外段８Ｃにより内グリップ１が挟持される。
【００１４】
この実施例１においては、外グリップ２を手で把持した時、手で押圧した力が外グリップ２によって分散されて内グリップ１に伝わる。しかも、内グリップ１の内面と軸筒８の表面の間に空間部が形成されているので内グリップ１は弾性変形し易い形状になっている。しかも、内グリップ１が押されて突部１Ａが傾斜したとしても、突部１Ａの間隔は内グリップ１が伸び縮みする変形量以上は変化しないので、内グリップ１を押圧する力は複数の突部１Ａに確実に分散され全体的に柔らかい感触が得られる。
【実施例２】
【００１５】
図４は本発明における実施例２の筆記具のグリップを示したものである。内グリップ１１の前端と後端に内鍔１１Ｂを形成するとともに、内グリップ１１の内面に等間隔に円周方向に伸びた突部１１Ａを複数形成する。この内グリップ１１に外グリップ２を被せて筆記具のグリップを構成する。この実施例２の場合には、実施例１よりやや硬い感触が得られる。
【００１６】
尚、内グリップは、硬さ（ＪＩＳ  Ａ）１０、３０あるいは５０といったシリコンラバーや、硬さ（ＪＩＳ  Ａ）３０、５０あるいは７０といったエラストマーが考えられる。これらの内グリップと組み合わされる外グリップとしては、硬さ（ＪＩＳ  Ａ）５０のシリコンラバーを用いることによって種々の柔らかさのグリップが設定可能となる。
【００１７】
また、本発明の筆記具のグリップは、内グリップを着色した軟質材で形成するとともに、外グリップを透明な軟質材で形成したり、内グリップと外グリップを透明な軟質材で形成することが考えられる。
【００１８】
更に、本発明の筆記具のグリップは、ノック式のシャープペンシルに限定されるものではなく、ボールペン等種々の筆記具に利用できるものである。
【産業上の利用可能性】
【００１９】
筆記具のグリップを手で把持した時に、押圧した力が全体に分散されて全体的に柔らかい感触に設定することができる。
【図面の簡単な説明】
【００２０】
【図１】本発明の実施例１の筆記具のグリップを示す断面図である。（実施例１）
【図２】図１のＡ−Ａ線を示す断面図である。（実施例１）
【図３】実施例１の筆記具のグリップを設けたノック式シャープペンシルを示す主要部断面図である。（実施例１）
【図４】本発明の実施例２の筆記具のグリップを示す断面図である。（実施例２）
【符号の説明】
【００２１】
１  内グリップ
１Ａ  内グリップ１の突部
２  外グリップ
８  軸筒
１１  内グリップ
１１Ａ  内グリップ１１の突部
【図１】
2008037023.tif 000003
【図２】
2008037023.tif 000004
【図３】
2008037023.tif 000005
【図４】
2008037023.tif 000006